(57)【要約】【課題】  販売店の関係者が他の販売店を開拓する意欲を高めて販路の迅速な拡大を図る。【解決手段】  商品供給会社Ａの管理する商品販売益還元装置１の蓄積手段３に、商品別の卸価格、商品の卸先の販売店の店舗情報、販売店別の取引実績情報に加えて、或る販売店の関係者が別の販売店を開拓したときの親側と子側の系統を示す開拓系統情報を蓄積しておき、処理手段７により、販売店の関係者が開拓した販売店の数と取引実績の両者を加味した所定の販売益還元条件に従い、販売益還元配当を計算して販売店別に蓄積手段３への登録及び支払い処理をし、販売店ＳＰｉの情報端末１０−ｉからの販売益還元配当情報要求に従い、処理手段７により計算された当該販売店への還元配当を要求元の販売店の情報端末１０−ｉへ出力する。【選択図】        図１
2012160147.tif 000002
【特許請求の範囲】
【請求項１】
商品別の卸価格、商品の卸先の各販売店を特定する販売店特定情報、販売店別の取引実績情報に加えて、或る販売店の関係者が別の販売店を開拓したときの親側と子側の系統を示す開拓系統情報を蓄積した蓄積手段と、
入力手段により入力された新規の販売店の販売店特定情報と、当該新規の販売店を開拓した者が関係する既登録の販売店を親側、当該新規の販売店を子側とする開拓系統情報と、を蓄積手段に追加する新規販売店登録手段と、
各販売店からの商品注文を蓄積手段の取引実績情報に追加する注文受付手段と、
各販売店の取引実績情報と開拓系統情報から販売店別に、販売店の関係者が開拓した販売店の数または取引実績、または販売店の数と取引実績の両者を加味した所定の販売益還元条件に従い、還元配当を計算する還元配当計算手段と、
還元配当計算手段で計算された還元配当を販売店別に蓄積手段に登録する還元配当登録手段と、
販売店の情報端末からの販売益還元配当情報要求に従い、還元配当計算手段により計算された当該販売店への還元配当を当該要求店の情報端末へ出力する還元配当情報出力手段と、
を備えたことを特徴とする販売益還元装置。
【請求項２】
注文受付手段は、入力手段で入力されるかまたは各販売店の情報端末からの商品注文を受け付け、蓄積手段の取引実績情報に追加するようにしたこと、
を特徴とする請求項１記載の販売益還元装置。
【請求項３】
販売店の情報端末からの開拓店取引実績要求に従い、要求を行なった販売店の関係者が開拓した各販売店毎の取引実績を抽出し、開拓店取引実績情報として当該要求店の情報端末へ出力する開拓店取引実績情報出力手段を備えたこと、
を特徴とする請求項１記載の販売益還元装置。
【請求項４】
開拓系統情報に、親側の販売店の関係者と子側の販売店の対応情報を含めておき、
開拓店取引実績情報出力手段は、関係者別に分けた開拓店取引実績情報を出力可能としたこと、
を特徴とする請求項３記載の販売益還元装置。
【請求項５】
商品提供会社の管理する販売益還元装置と、商品提供会社から商品を卸価格で購入する複数の販売店の各々に設置されるとともに通信回線を介して商品提供会社の管理する販売益還元装置と通信可能な情報端末とを含む販売益還元システムにおいて、
販売益還元装置は、
商品別の卸価格、商品の卸先の各販売店を特定する販売店特定情報、販売店別の取引実績情報に加えて、或る販売店の関係者が別の販売店を開拓したときの親側と子側の系統を示す開拓系統情報を蓄積した蓄積手段と、
入力手段により入力された新規の販売店の販売店特定情報と、当該新規の販売店を開拓した者が関係する既登録の販売店を親側、当該新規の販売店を子側とする開拓系統情報と、を蓄積手段に追加する新規販売店登録手段と、
各販売店からの商品注文を蓄積手段の取引実績情報に追加する注文受付手段と、
各販売店の取引実績情報と開拓系統情報から販売店別に、販売店の関係者が開拓した販売店の数または取引実績、または販売店の数と取引実績の両者を加味した所定の販売益還元条件に従い、還元配当を計算する還元配当計算手段と、
還元配当計算手段で計算された還元配当を販売店別に蓄積手段に登録する還元配当登録手段と、
販売店の情報端末からの販売益還元配当情報要求に従い、還元配当計算手段により計算された当該販売店への還元配当を当該要求店の情報端末へ出力する還元配当情報出力手段と、
を備え、
情報端末は、
販売益還元配当情報要求を行なう入力手段と、
販売益還元配当情報の表示を行なう表示手段と、
入力手段でされた販売益還元配当情報要求を、通信回線を介して販売益還元装置へ出力したり、販売益還元装置から返送された情報を表示装置に表示させる処理手段と、
を備えたことを特徴とする販売益還元システム。
【請求項６】
販売益還元装置の注文受付手段は、入力手段で入力された各販売店の商品注文を受け付け、蓄積手段の取引実績情報に追加するようにしたこと、
を特徴とする請求項５記載の販売益還元システム。
【請求項７】
販売益還元装置の注文受付手段は、各販売店の情報端末からの商品注文を受け付け、蓄積手段の取引実績情報に追加するようにし、
情報端末は、
入力手段で周品注文の入力を可能とするとともに、
処理手段は、入力手段で入力された商品注文を通信回線を介して販売益還元装置へ出力するようにしたこと、
を特徴とする請求項５記載の販売益還元システム。
【請求項８】
販売益還元装置は、
販売店の情報端末からの開拓店取引実績要求に従い、要求を行なった販売店の関係者が開拓した各販売店毎の取引実績を抽出し、開拓店取引実績情報として当該要求店の情報端末へ出力する開拓店取引実績情報出力手段を備え、
情報端末は、
入力手段で開拓店取引実績要求を可能とするとともに、
処理手段は、入力手段で開拓店取引実績要求がされると通信回線を介して販売益還元装置へ出力し、販売益還元装置から返送された情報を表示装置に表示させるようにしたこと、
を特徴とする請求項５記載の販売益還元システム。
【請求項９】
販売益還元装置は、
開拓系統情報に、親側の販売店の関係者と子側の販売店の対応情報を含めておき、
開拓店取引実績情報出力手段は、関係者別に分けた開拓店取引実績情報を出力可能としたこと、
を特徴とする請求項８記載の販売益還元装置システム。
【発明の詳細な説明】
【技術分野】
【０００１】
本発明は販売益還元装置、販売益還元システムに係り、とくに販売店数の拡大を促進するのに好適な販売益還元装置、販売益還元システムに関する。
【背景技術】
【０００２】
健康志向の高まりから、サプリメント、室内運動器具、健康寝具など様々な健康関連商品の研究・開発が進められている。優れた商品の普及を図るためには顧客を如何に増やすかが重要であり、従来から種々の販売促進支援システムが提案されている。例えば、特開２００２−２３６８３６に開示された発明では、ネットワーク上で複数の顧客に商品を販売する商品販売店装置であって、商品の購入者が登録するメンバにより登録グループ会員を構築し、購入者とともに顧客ＤＢに登録しておき、登録グループ会員が購入者と同じ商品を購入する場合に割引、粗品等の特典を付与するようにしている。また、特開２００２−２３６８３６に開示された発明では、顧客毎に商品購入数、時期、回数などを管理しておき、これらに基づき販売店が利益の一部を還元するようにしている。
【０００３】
けれども、前者の登録グループ会員が商品を購入したときに割引等の特典が与えられたり、後者の顧客が自身の商品購入に応じて配当が得られるシステムでは、便益が与えられる最終顧客が他の顧客を積極的に開拓することは期待できず、販路の迅速な拡大を図る力が弱かった。
【先行技術文献】
【特許文献】
【０００４】
【特許文献１】特開２００８−１０８３５８号公報
【特許文献２】特開２００２−２３６８３６号公報
【発明の概要】
【発明が解決しようとする課題】
【０００５】
本発明は上記した従来技術の問題に鑑み、販路の迅速な拡大を図ることのできる販売益還元装置、販売益還元システムを提供することを、その目的とする。
【課題を解決するための手段】
【０００６】
本発明の１つは、商品別の卸価格、商品の卸先の各販売店を特定する販売店特定情報、販売店別の取引実績情報に加えて、或る販売店の関係者が別の販売店を開拓したときの親側と子側の系統を示す開拓系統情報を蓄積した蓄積手段と、入力手段により入力された新規の販売店の販売店特定情報と、当該新規の販売店を開拓した者が関係する既登録の販売店を親側、当該新規の販売店を子側とする開拓系統情報と、を蓄積手段に追加する新規販売店登録手段と、各販売店からの商品注文を蓄積手段の取引実績情報に追加する注文受付手段と、各販売店の取引実績情報と開拓系統情報から販売店別に、販売店の関係者が開拓した販売店の数または取引実績、または販売店の数と取引実績の両者を加味した販売益還元条件に従い、還元配当を計算する還元配当計算手段と、還元配当計算手段で計算された還元配当を販売店別に蓄積手段に登録する還元配当登録手段と、販売店の情報端末からの販売益還元配当情報要求に従い、還元配当計算手段により計算された当該販売店への還元配当を要求元の販売店の情報端末へ出力する還元配当情報出力手段と、を備えたことを特徴としている。
本発明の他の１つは、注文受付手段は、入力手段で入力されるかまたは各販売店の情報端末からの商品注文を受け付け、蓄積手段の取引実績情報に追加するようにしたこと、を特徴としている。
本発明の他の１つは、販売店の情報端末からの開拓店取引実績要求に従い、要求元の販売店の関係者が開拓した各販売店毎の取引実績を抽出し、開拓店取引実績情報として要求元の販売店の情報端末へ出力する開拓店取引実績情報出力手段を備えたこと、を特徴としている。
本発明の更に他の１つは、開拓系統情報に、親側の販売店の関係者と子側の販売店の対応情報を含めておき、開拓店取引実績情報出力手段は、関係者別に分けた開拓店取引実績情報を出力可能としたこと、を特徴としている。
本発明の他の１つは、商品提供会社の管理する販売益還元装置と、商品提供会社から商品を卸価格で購入する複数の販売店の各々に設置されるとともに通信回線を介して商品提供会社の管理する販売益還元装置と通信可能な情報端末とを含む販売益還元システムにおいて、販売益還元装置は、商品別の卸価格、商品の卸先の各販売店を特定する販売店特定情報、販売店別の取引実績情報に加えて、或る販売店の関係者が別の販売店を開拓したときの親側と子側の系統を示す開拓系統情報を蓄積した蓄積手段と、入力手段により入力された新規の販売店の販売店特定情報と、当該新規の販売店を開拓した者が関係する既登録の販売店を親側、当該新規の販売店を子側とする開拓系統情報と、を蓄積手段に追加する新規販売店登録手段と、各販売店からの商品注文を蓄積手段の取引実績情報に追加する注文受付手段と、各販売店の取引実績情報と開拓系統情報から販売店別に、販売店の関係者が開拓した販売店の数または取引実績、または販売店の数と取引実績の両者を加味した販売益還元条件に従い、還元配当を計算する還元配当計算手段と、還元配当計算手段で計算された還元配当を販売店別に蓄積手段に登録する還元配当登録手段と、販売店の情報端末からの販売益還元配当情報要求に従い、還元配当計算手段により計算された当該販売店への還元配当を要求元の販売店の情報端末へ出力する還元配当情報出力手段と、を備え、情報端末は、販売益還元配当情報要求を行なう入力手段と、販売益還元配当情報の表示を行なう表示手段と、入力手段でされた販売益還元配当情報要求を、通信回線を介して販売益還元装置へ出力したり、販売益還元装置から返送された情報を表示手段に表示させる処理手段と、を備えたことを特徴としている。
本発明の他の１つは、販売益還元装置の注文受付手段は、入力手段で入力された各販売店の商品注文を受け付け、蓄積手段の取引実績情報に追加するようにしたこと、を特徴としている。
本発明の他の１つは、販売益還元装置の注文受付手段は、各販売店の情報端末からの商品注文を受け付け、蓄積手段の取引実績情報に追加するようにし、情報端末は、入力手段で周品注文の入力を可能とするとともに、処理手段は、入力手段で入力された商品注文を通信回線を介して販売益還元装置へ出力するようにしたこと、を特徴としている。
本発明の他の１つは、販売益還元装置は、販売店の情報端末からの開拓店取引実績要求に従い、要求を行なった販売店の関係者が開拓した各販売店毎の取引実績を抽出し、開拓店取引実績情報として要求元の販売店の情報端末へ出力する開拓店取引実績情報出力手段を備え、情報端末は、入力手段で開拓店取引実績要求を可能とするとともに、処理手段は、入力手段で開拓店取引実績要求がされると通信回線を介して販売益還元装置へ出力し、販売益還元装置から返送された開拓店取引実績情報を表示手段に表示させるようにしたこと、を特徴としている。
本発明の他の１つは、販売益還元装置は、開拓系統情報に、親側の販売店の関係者と子側の販売店の対応情報を含めておき、開拓店取引実績情報出力手段は、関係者別に分けた開拓店取引実績情報を出力可能としたこと、を特徴としている。
【発明の効果】
【０００７】
本発明によれば、販売益還元装置の蓄積手段に、販売店の関係者が他の販売店を開拓したときの開拓系統情報を蓄積しておき、この開拓系統情報と蓄積手段に別途蓄積された各販売店の取引実績情報に基づき、販売店別に、販売店の関係者が開拓した販売店の数または取引実績、または数と取引実績の両者を加味した所定の販売益還元条件に従い、販売益還元配当を計算するようにして、各販売店が他の販売店を開拓した貢献への報酬を支払い可能としたので、人脈を生かした他の販売店の新規開拓意欲を惹起させて販路の迅速な拡大を図ることが可能となる。
また、他の販売店を開拓した販売店では、情報端末を用いて他の販売店を開拓したことによる販売益還元配当情報を閲覧できるので、販売店の新規開拓意欲が一層惹起される。
また、他の販売店を開拓した販売店では、情報端末を用いて開拓店の取引実績情報を閲覧できるので、どの系統の販売店で販売実績が上がっているか判り、新たな開拓をするときの店舗のタイプ、場所等の参考としたり、自己の店舗での販売促進の参考とすることができる。また、開拓店の取引実績情報を関係者別に分けて閲覧できるので、実績の上がっている販売店を開拓した関係者の報奨をすることができる。
【図面の簡単な説明】
【０００８】
【図１】本発明の一実施例に係る販売益還元システムの構成を示すブロック図である。（実施例１）
【図２】図１の蓄積手段に蓄積された商品情報の説明図である。
【図３】図１の蓄積手段に蓄積された店舗情報の説明図である。
【図４】図１の蓄積手段に蓄積された取引実績情報の説明図である。
【図５】図１の蓄積手段に蓄積された開拓系統情報の説明図である。
【図６】図１の蓄積手段に蓄積された販売益還元配当情報の説明図である。
【図７】各販売店別に或る月の商品別の取引総量を集計した例である。
【図８】図１の情報端末の構成を示すブロック図である。
【図９】図１の販売益還元装置の処理手段による処理を示すフローチャートである。
【図１０】図１の販売益還元装置の処理手段による処理を示すフローチャートである。
【図１１】図１の販売益還元装置の処理手段による処理を示すフローチャートである。
【図１２】図１の販売益還元装置の処理手段による処理を示すフローチャートである。
【図１３】図１の情報端末の処理手段による処理を示すフローチャートである。
【図１４】図１の情報端末の処理手段による処理を示すフローチャートである。
【図１５】図１の販売益還元装置の表示手段の表示画面の説明図である。
【図１６】図１の販売益還元装置の表示手段の表示画面の説明図である。
【図１７】図１の販売益還元装置の表示手段の表示画面の説明図である。
【図１８】図１の情報端末の表示手段の表示画面の説明図である。
【図１９】図１の情報端末の表示手段の表示画面の説明図である。
【図２０】図１の情報端末の表示手段の表示画面の説明図である。
【図２１】図１の情報端末の表示手段の表示画面の説明図である。
【図２２】図１の情報端末の表示手段の表示画面の説明図である。
【発明を実施するための形態】
【０００９】
以下、本発明の実施の形態を実施例に基づき説明する。
【実施例１】
【００１０】
図１は本発明の一実施例に係る販売益還元システムの構成を示すブロック図である。
図１において、１は商品提供会社Ａの管理する商品販売益還元装置であり、商品提供会社Ａに付設されている。商品販売益還元装置１は多数の販売店ＳＰ１〜ＳＰｎからの商品注文の受付、配送手配、代金請求、各販売店との取引実績の蓄積をするほか、販売店の関係者（オーナ、従業員、客など）が他の販売店を開拓したときの貢献を報奨するために用いる開拓系統情報の蓄積、各販売店に対する販売益還元配当の計算と登録及び振込、販売店側からの販売益還元配当情報の照会要求に従い、販売益還元配当情報を返信したり、販売店側からの開拓店取引実績情報の照会要求に従い、開拓店の取引実績情報を返信したりする。１０−１乃至１０−ｎは各販売店ＳＰ１〜ＳＰｎに付設された情報端末であり、通信回線の一例としてのインターネット２０を介して商品販売益還元装置１と相互通信可能となっている。情報端末１０−１乃至１０−ｎは商品の注文のほか、販売益還元配当情報や開拓店の取引実績情報の照会を行なう。３０は商品配送センターＢに付設された配送受付装置であり、インターネット２０を介して商品販売益還元装置１と相互通信可能となっている。
【００１１】
商品販売益還元装置１の内、２はキーポード、マウスを含む入力手段、３はハードディスクからなる蓄積手段であり、プログラムのほか、商品別の商品名、商品識別コード、１個当たりの卸価格を含む商品情報（図２参照）、販売店別の販売店識別コード、販売店名、住所、電話・ＦＡＸ、メールアドレス、振込口座、ＷＥＢページへのログインＩＤとパスワードを含む販売店特定情報の一例としての店舗情報（図３参照）、販売店別に、個々の注文内容（商品識別コード、数量、日付）を登録した個別取引実績情報（図４（１）参照）、販売店別かつ商品別に、月毎に集計した期別取引実績情報（図４（２）参照）のほか、或る販売店のオーナ、従業員、客などの関係者が他の販売店を新規開拓したときに開拓元の当該或る販売店に商品販売益を還元して販路の拡大意欲を惹起させるため、開拓元の当該或る販売店を親側、関係者が開拓した他の販売店を子側とし、かつ子側の販売店を開拓した関係者別に分けて関係者の名前と対応付けて登録した開拓系統情報（図５参照）、販売店別の販売益還元配当情報（図６参照）などが蓄積されている。４は液晶ディスプレイからなる表示手段、５はプリンタからなる印刷手段、６はモデム、ルータなどを含み、後述する処理手段とインターネット２０との間でデータの授受を行なう通信手段である。
【００１２】
７はＣＰＵ、内部メモリなどを含む処理手段であり、蓄積手段３に格納されたプログラムに基づき、入力手段２で入力されるかまたは販売店ＳＰ１〜ＳＰｎの情報端末１０−１乃至１０−ｎから受信した商品注文を受け付け、蓄積手段３の個別取引実績情報（図４（１）参照）に追加登録するとともに配送手配をしたり、入力手段２で入力された新規の販売店の店舗情報と開拓系統情報を蓄積手段３に追加登録したり、月初めに各販売店別に、前月の注文を１か月分まとめて商品別に集計し、期別取引実績情報（図４（２）参照）に追加するとともに請求書を印刷発行したり、月初めに各販売店別に、販売店の関係者が開拓した他の販売店の数と取引実績を加味した所定の販売益還元条件に基づき、前月分の販売益還元配当を計算し、蓄積手段３の販売益還元配当情報への追加登録と振込みをしたりする。また、販売店ＳＰ１〜ＳＰｎの情報端末１０−１乃至１０−ｎからの販売益還元配当情報の照会要求に従い、要求元に販売益還元配当情報を返信したり、開拓店取引実績情報の照会要求に従い、要求元に開拓店の取引実績情報を返信したりする。
なお、処理手段７は、情報端末１０−１乃至１０−ｎからの商品注文、販売益還元配当情報の照会要求、開拓店取引実績情報の照会要求を各々ＷＥＢページ（ログイン用とメニュー用を含む）を用いて受信する。ＷＥＢページデータは蓄積手段３にプログラムとともに格納されている。
【００１３】
ここで、販売益の還元による販路拡大の促進について説明する。
商品提供会社Ａが多数の顧客に商品を利用してもらうには多数の販売店と取引する必要があるが、自力で販売店の開拓を行なうには多大な時間と手間が掛かる。一方、販売店は普通、自店の顧客への販売価格と仕入れ価格（卸価格）の差が利益となるだけであり、同じ商品を販売する他の販売店の存在には関心が無い。けれども、販売店のオーナ、従業員、顧客は知人・友人に同じ商品を販売可能な他の販売店のオーナがいる場合が多い。商圏が異なれば他の販売店が同一の商品を販売することにディメリットはない。そこで、本実施例では、或る販売店の関係者（オーナ、従業員、顧客など）が他の販売店を開拓した場合に、当該或る販売店に継続的な開拓報酬としての販売益還元配当を付与することとし、かつ、配当情報を確認可能としたことにより、販売店開拓意欲を惹起せしめるようにした。これにより各販売店のもつ人脈を生かした販売店網の構築が可能となり、販路の迅速な拡大を図ることができる。
【００１４】
次に、具体的な販売益の還元条件について説明すると、販売店開拓の報酬の仕方には種々の形態が考えられるが、一例としてこの実施例では、開拓店の数に着目した第１の配当α1 と、開拓店の取引実績に着目した第２の配当α2 を合算した配当α（＝α1 ＋α2 ）を月単位で計算して前月分を翌月初めに振り込むものとする。そして、或る配当対象月の販売店が図１の如く、ＳＰ１〜ＳＰ１３まで存在し、販売店ＳＰ１はオーナｐ１の開拓したＳＰ３とＳＰ４、従業員ｐ２の開拓したＳＰ５、顧客ｐ３の開拓したＳＰ６があり、販売店ＳＰ４はオーナｐ４の開拓したＳＰ７とＳＰ８、顧客ｐ５の開拓したＳＰ９があり、ＳＰ６はオーナｐ６の開拓したＳＰ１０があり、販売店ＳＰ８はオーナｐ７の開拓したＳＰ１１、従業員ｐ８の開拓したＳＰ１２、顧客ｐ９の開拓したＳＰ１３があり、残りの販売店ＳＰ２、ＳＰ３、ＳＰ４５、ＳＰ７、ＳＰ９乃至ＳＰ１３は関係者の開拓した販売店が一つもないものとする。
開拓報酬としての販売益還元配当を受けられる販売店はＳＰ１、ＳＰ４、ＳＰ６、ＳＰ８であり、販売店ＳＰ１とその開拓店ＳＰ３乃至ＳＰ６を合わせてユニットＵ１、販売店ＳＰ４とその開拓店ＳＰ７乃至ＳＰ９を合わせてユニットＵ２、販売店ＳＰ６とその開拓店ＳＰ１０を合わせてユニットＵ３、販売店ＳＰ８とその開拓店ＳＰ１１乃至ＳＰ１３を合わせてユニットＵ４とする。
【００１５】
或る配当対象月の各販売店の１ヶ月分の商品別の取引数量が例えば図７の如くであった場合、ユニットＵｊ（但し、ｊ＝１、２、３、４）の親側販売店の第１の配当α1 （Ｕｊ）は、一例として配当対象月の全販売店への商品卸総計額をＺ、第１の配当原資をそのａ1 ％として、
α1 （Ｕｊ）＝（ａ1 ／１００）×Ｚ×（Ｕｊを構成する販売店数）
i=4
÷（全販売店数＋ΣＵｉの販売店数）
i=1
ただし、ｊ＝１、２、３、４
・・・・（１）
と計算するものとする。
また、第２の配当α2 （Ｕｊ）は、配当対象月の全販売店への商品卸総計額をＺ、第２の配当原資をそのａ2 ％として、
α2 （Ｕｊ）＝（ａ2 ／１００）×Ｚ
×（Ｕｊを構成する販売店への商品卸総計額）
i=4
÷（全販売店への商品卸総計額＋ΣＵｉの販売店への商品卸総計額）
i=1
ただし、ｊ＝１、２、３、４
・・・・（２）
と計算するものとする。
図７の場合、ａ1 ＝ａ2 ＝５とすると、Ｚ＝６１１００００円、Ｕ１の販売店数＝５、Ｕ１を構成する販売店への商品卸総計額＝２３５００００円、Ｕ２の販売店数＝４、Ｕ２を構成する販売店への商品卸総計額＝１８８００００円、Ｕ３の販売店数＝２、Ｕ３を構成する販売店への商品卸総計額＝９４００００円、Ｕ４の販売店数＝４、Ｕ４を構成する販売店への商品卸総計額＝１８８００００円であるから、
販売店ＳＰ１の配当α（＝α1 （Ｕ１）＋α2 （Ｕ１））は、
α1 （Ｕ１）＝（５／１００）×６１１００００×（５／（１３＋１５））
＝５４５５４円
α2 （Ｕ１）＝（５／１００）×６１１００００
×（２３５００００／（６１１００００＋７０５００００））              ＝５４５５４円
を合わせた１０９１０８円となる。同様に、
販売店ＳＰ４の配当α（＝α1 （Ｕ２）＋α2 （Ｕ２））は８７２８６円、
販売店ＳＰ６の配当α（＝α1 （Ｕ３）＋α2 （Ｕ３））は４３６４２円、
販売店ＳＰ８の配当α（＝α1 （Ｕ４）＋α2 （Ｕ４））は８７２８６円、
となる。
【００１６】
情報端末１０−１は図８に示す如く構成されており、この内、３１はキーポード、マウスを含む入力手段、３２はハードディスクからなるプログラムを記憶した蓄積手段、３３は液晶ディスプレイからなる表示手段、３４はモデム、ルータなどを含む通信手段であり、処理手段３５とインターネット２０との間でデータの授受を行なう。処理手段３５はＣＰＵ、内部メモリなどを含み、蓄積手段３２に格納されたプログラム（ここでは一例としてＷＥＢページ閲覧ソフトとする）に基づいて、入力手段３１での操作に従い、インターネット２０を介したログイン、商品注文、販売益還元配当情報の照会、開拓店の取引実績情報の照会などの処理を行なう。
【００１７】
図９乃至図１２は商品販売益還元装置の処理手段の処理手順を示すフローチャート、図１３と図１４は情報端末の処理手段の処理手順を示すフローチャート、図１５乃至図１７は商品販売益還元装置の画面表示例を示す説明図、図１８乃至図２２は情報端末の画面表示例を示す説明図であり、以下、これらの図を参照して上記した実施例の動作を説明する。
なお、図１に示す如く、販売店ＳＰ１乃至ＳＰ１３が商品供給会社Ａと商品取引を行なっており、商品情報、販売店ＳＰ１乃至ＳＰ１３の店舗情報、取引実績情報のほか、開拓系統情報と販売益還元配当情報が蓄積手段３に蓄積されているものとする（図２乃至図６参照）。
【００１８】
（１）新規販売店の登録
商品提供会社Ａにおいて、新規の販売店の登録をしたい場合、商品販売益還元装置１の表示手段４に図１５の如くメニュー画面が表示された状態で入力手段２により「販売店の新規登録」（符号Ｍ１参照）をマウスでクリックして選択し、図１６の画面の如く販売店の新規登録画面に移行させ、新規の販売店の名称、住所、電話・ＦＡＸ番号、メールアドレス、取引口座情報、ログインＩＤとパスワードを含む店舗情報を入力し、或る既登録の販売店の関係者が開拓したのであれば、更にその或る既登録の販売店（親側販売店）の販売店識別コード、関係者名、関係内容（オーナ、従業員、顧客など）を含む開拓系統情報を入力し、「ＯＫ」ボタン（符号Ｍ５参照）をクリックする。処理手段７は自動生成した新規の販売店識別コード（図１６の画面に表示された「ｓ００１４」参照）に対応付けて蓄積手段３の販売店店舗情報に今回入力された新規の店舗情報を追加し、開拓系統情報があるときは更に、蓄積手段３の開拓系統情報に、当該或る既登録の販売店を親側とし、今回新規に登録した販売店を子側とし、かつ、関係者名、関係内容と対応付けた開拓系統情報を追加してメニューに戻る（図９のステップＳ１０〜Ｓ１５。図３、図５参照）。
【００１９】
（２）販売店からの電話・ＦＡＸ・メールによる商品の注文と配送
例えば、販売店ＳＰ１から電話・ＦＡＸ・メールで商品ａａａａを５個注文を受けた場合、  メニュー画面が表示された状態で入力手段２により「注文入力」（図１５の符号Ｍ２参照）を選択し、図１７の如く商品注文入力画面に移行させ、販売店識別コード（ここでは「ｓ０００１」）、所望商品名に対応する個数を入力し、「ＯＫ」ボタン（符号Ｍ６参照）をクリックする。処理手段７は販売店ＳＰ１の取引実績情報に今回の注文内容を日付とともに追加し（図４（１）参照）、インターネット２０を介して商品配送センターＢの配送受付装置３０へ販売店名、配送先住所、電話番号とともに送信し、配送の手配をする（Ｓ１０、Ｓ１６〜Ｓ１９）。
【００２０】
（３）販売店の情報端末による商品の注文と配送
例えば、販売店ＳＰ１が情報端末１０−１を用いて商品ｂｂｂｂを３個注文したい場合、オーナまたは従業員はＷＥＢページ閲覧ソフトを立ち上げてまず入力手段３１で商品販売益還元装置１のログイン用ＷＥＢページのＵＲＬアドレスを入力すると（図１３のステップＳ６０でＹＥＳ）、処理手段３５がインターネット２０を介して商品販売益還元装置１にアクセスし、商品販売益還元装置１の処理手段７が定期的に実行する図１１の割り込み処理により、蓄積手段３からログイン用ＷＥＢページを読み出し返信する（ステップＳ３０、Ｓ３１）。情報端末１０−１の処理手段３５は表示手段３３に表示させる（ステップＳ６１、図１８参照）。入力手段３１でログインＩＤとパスワードを入力し、「ＯＫ」ボタン（符号Ｍ７参照）をクリックすると（図１３のステップＳ６２でＹＥＳ）、商品販売益還元装置１に送信され、処理手段７が店舗情報中のログインＩＤ、パスワードの組と照合する（図１１のステップＳ３２、Ｓ３３）。一致しなければエラーメッセージを返信して情報端末側に表示させるが（ステップＳ３４、Ｓ３５、図１３のステップＳ７０、Ｓ７１）、一致すれば該当する販売店（ここではＳＰ１）からのアクセスであると判断し、メニュー用ＷＥＢページを返信して情報端末１０−１に表示させるとともにログアウトされるまでセッションを継続する（図１１のステップＳ３６、図１３のステップＳ６４、Ｓ６５、図１９参照）。
【００２１】
メニュー用ＷＥＢページから「注文入力」（図１９の符号Ｍ８参照）を選択すると、処理手段３５は商品注文用ＷＥＢページを要求し、商品販売益還元装置１から返信された商品注文用ＷＥＢページを表示手段３３に表示させる（図１３のステップＳ６６、Ｓ６７、図１１のＳ３８、図１３のＳ６７、図２０参照）。商品ｂｂｂｂに３個と入力し、「ＯＫ」ボタン（図２０の符号Ｍ１１参照）をマウスでクリックすると、処理手段３５は注文内容を商品販売益還元装置１へ送信し（図１３のステップＳ６８、Ｓ６９）、注文内容を受信した処理手段７は受け付け処理として、蓄積手段３の販売店ＳＰ１の取引実績情報に日付とともに蓄積し、商品配送センターＢの配送受付装置３０に配送先住所、販売店名、商品名と商品コードと数量を含む配送手配情報を送信して配送処理をする（図１１のステップＳ３９〜Ｓ４１）。
他の販売店ＳＰ２乃至ＳＰ１３についても全く同様にして電話・ＦＡＸ・メールでの商品注文や情報端末からの商品注文を行なうことができる。
【００２２】
（４）販売店への商品代金の請求
月初めになって各販売店に請求書を送付したい場合、商品販売益還元装置１の表示手段４に図１５の如くメニュー画面が表示された状態で入力手段２により「請求書発行」（符号Ｍ３参照）を選択する。すると、処理手段７は蓄積手段３の個別取引実績情報（図４（１）参照）を参照して、前１か月分につき販売店別かつ商品別に集計し、蓄積手段３の期別取引実績情報に追加したのち（図４（２）参照）、各販売店ＳＰ１乃至ＳＰ１３に対する請求書を一括作成し、印刷手段５で印刷発行させる（図１０のステップＳ２０〜Ｓ２２）。
なお、月初めになったとき、プログラムにより自動的に前１か月分につき販売店別かつ商品別に集計し、期別取引実績情報の追加と請求書の一括発行処理をするようにしても良い。
【００２３】
（５）販売店への販売益還元配当の計算・支払い
また、月初めになって各販売店の内、他の販売店を開拓したものにつき、開拓報酬としての販売益還元配当を支払いたい場合、商品販売益還元装置１の表示手段４に図１５の如くメニュー画面が表示された状態で入力手段２により「販売益還元配当の計算・支払い」（符号Ｍ４参照）を選択する。すると、処理手段７は蓄積手段３の個別取引実績情報（集計済みであれば期別取引実績情報でも良い）と開拓系統情報を参照して、前１か月分につき、前記した（１）、（２）式を用いて、親側販売店ＳＰ１、ＳＰ４、ＳＰ６、ＳＰ８に付与する販売益還元配当を計算して、蓄積手段３の販売益還元配当情報に親側販売店別に登録し、かつ、口座への振込み処理をする（図１０のステップＳ２３〜Ｓ２５、図６参照）。
このように、他の販売店を開拓すると、開拓店の数と取引実績に応じた販売益還元配当が毎月実行されるため、オーナ等の開拓意欲が著しく高くなる。
なお、月初めになったとき、プログラムにより自動的に販売益還元配当の計算・登録・支払い処理するようにしても良い。
【００２４】
（６）販売店からの販売益還元配当の照会
他の販売店を開拓したとき、月の途中であっても、今月分として幾らぐらいの配当が確保されているか判ると、開拓の大きな励みとなる。このため、この実施例では、販売店からの販売益還元配当の照会が可能となっている。関係者が他店を開拓した例えば販売店ＳＰ１のオーナが今月のこれまでの販売益還元配当を知りたい場合、情報端末１０−１により、ログイン後の図１９のメニューから「販売益還元配当照会」（符号Ｍ９参照）を選択する。すると、処理手段３５は販売益還元配当情報照会を商品販売益還元装置１に要求する。該要求を受けた処理手段７は蓄積手段３から要求元の販売店ＳＰ１の前３か月分の販売益還元配当を読み出すとともに、今月の初めから今までの分について、（１）、（２）式を用いて販売益還元配当を計算し、要求元に返信する。若し、何らかの事情で前３か月分の内、一部または全部の販売益還元配当情報が蓄積されていなかったときは、計算する。販売益還元配当情報の返信を受けた処理手段３５は図２１の如く表示させる（図１３のステップＳ６６、図１４のＳ８０、図１１のＳ３７、Ｓ４２、Ｓ４３）。これにより、今月分として確保されている配当及び過去３ヶ月の推移が判り、大きな励みとなる。
【００２５】
（７）開拓店の取引実績の照会
若し、開拓店がどれくらいの販売実績を上げているか知りたい場合、販売益還元配当情報の表示画面中の所望の期に対応する「詳細」ボタン（符号Ｍ１２乃至Ｍ１５参照）をクリックする。ここでは、２０１０年１０月期に対応する「詳細」ボタン（符号Ｍ１２参照）が選択されたものとすると、処理手段３５は所望の期の開拓店取引実績情報の照会を商品販売益還元装置１に要求する。該要求を受けた処理手段７は蓄積手段３から、所望の期の開拓店別かつ商品別の取引実績を期別取引実績から読み出すか、個別取引実績を用いて集計後、関係者別に分けて要求元に返信する。開拓店取引実績情報の返信を受けた処理手段３５は図２２の如く表示させる（図１４のステップＳ８１、Ｓ８２、図１２のＳ５０、Ｓ５１）。他の期の開拓店取引実績情報を知りたいときは、図２２の画面の「閉じる」ボタン（Ｍ１７参照）をクリックして開拓店取引実績情報画面を閉じて元の図２１の販売益還元配当画面に戻したのち（図１４のステップＳ８３、Ｓ８４）、所望の期に対応する「詳細」ボタンをクリックすれば、図２２と同様に表示させることができる（ステップＳ８１、Ｓ８２、図１２のＳ５０、Ｓ５１）。このようにして、どの系統の販売店で販売実績が上がっているか判り、新たな開拓をするときの店舗のタイプ、場所等の参考としたり、自己の店舗での販売促進の参考としたり、実績の上がっている販売店を開拓した関係者の報奨をしたりすることができる。
終了したい場合、図２１の画面で「メニューに戻る」ボタン（Ｍ１６参照）をクリックすると、処理手段３５がメニュー用ＷＥＢページを販売益還元装置１に要求し、返信されたメニュー用ＷＥＢページを表示させるので（図１４のステップＳ８５、Ｓ８６、図１２のＳ５２、図１１のＳ３６、図１３のＳ６４、Ｓ６５）、メニューの「終了（ログアウト）」（図１９の符号Ｍ１０参照）を選択する。処理手段３５はログアウトを商品販売益還元装置１に要求し、処理手段７にログアウト処理を行なわせる（図１４のステップＳ８７、図１１のＳ４４）。
他の親側販売店も全く同様にして、情報端末からの販売益還元配当情報の照会、開拓店の取引実績情報の照会を行なうことができる。
【００２６】
この実施例によれば、商品提供会社Ａに付設された商品販売益還元装置１の蓄積手段３に、販売店の関係者が他の販売店を開拓したときの開拓系統情報を蓄積しておき、この開拓系統情報と蓄積手段３に別途蓄積された各販売店の取引実績情報に基づき、処理手段７が販売店別に、販売店の関係者が開拓した販売店の数と取引実績の両者を加味した所定の販売益還元条件に従い、販売益還元配当を計算し蓄積手段３に登録するようにして、各販売店が他の販売店を開拓した貢献への報酬を支払い可能としたので、人脈を生かした他の販売店の新規開拓意欲を惹起させて販路の迅速な拡大を図ることが可能となる。
また、他の販売店を開拓した販売店では、情報端末を用いて他の販売店を開拓したことによる販売益還元配当情報を閲覧できるので、これによっても、販売店の新規開拓意欲が一層惹起される。
また、他の販売店を開拓した販売店では、情報端末を用いて開拓店の取引実績情報を閲覧できるので、どの系統の販売店で販売実績が上がっているか判り、新たな開拓をするときの店舗のタイプ、場所等の参考としたり、自己の店舗での販売促進の参考とすることかできる。また、また、開拓店の取引実績情報を関係者別に分けて閲覧できるので、実績の上がっている販売店を開拓した関係者の報奨をすることができる。
【００２７】
なお、上記した実施例で挙げた販売益還元配当の計算式（１）、（２）は一例であり、種々の変形が可能であるのは当然である。例えば、ユニットには親側販売店と該親側販売店が開拓した子側販売店の両者を合わせて構成したが、親側販売店を外して、共通の親側販売店が開拓した子側販売店だけで構成するようにしても良い。また、開拓店の数と取引実績の両者を加味した販売益還元条件としたが、数または取引実績のいずれか一方としても良い。また、販売益還元配当を３か月毎、半年毎など、月単位とは別の期間毎に行なうようにしても良い。
【産業上の利用可能性】
【００２８】
本発明は、健康関連商品、化粧品、日用品、寝具、ＣＤ、ＤＶＤ等の種々の商品を販売店に卸して販売する場合に適用できる。
【符号の説明】
【００２９】
１  商品販売益還元装置
３  蓄積手段
１０−１〜１０−１３  情報端末
２０  インターネット
３０  配送受付装置
Ａ  商品供給会社
【図１】
2012160147.tif 000003
【図２】
2012160147.tif 000004
【図３】
2012160147.tif 000005
【図４】
2012160147.tif 000006
【図５】
2012160147.tif 000007
【図６】
2012160147.tif 000008
【図７】
2012160147.tif 000009
【図８】
2012160147.tif 000010
【図９】
2012160147.tif 000011
【図１０】
2012160147.tif 000012
【図１１】
2012160147.tif 000013
【図１２】
2012160147.tif 000014
【図１３】
2012160147.tif 000015
【図１４】
2012160147.tif 000016
【図１５】
2012160147.tif 000017
【図１６】
2012160147.tif 000018
【図１７】
2012160147.tif 000019
【図１８】
2012160147.tif 000020
【図１９】
2012160147.tif 000021
【図２０】
2012160147.tif 000022
【図２１】
2012160147.tif 000023
【図２２】
2012160147.tif 000024